(57)【特許請求の範囲】
【請求項１】
交換型記録媒体（４１）を使用してデータ変換を行うためのデ−タ変換装置であって、
固定部分（３）と、
前記記録媒体（４１）を配置するためのトレイ（１７）を有し且つ前記固定部分（３）に移動可能に支持され且つ前記記録媒体（４１）を使用してデ−タを変換することが可能な第１の位置と前記トレイ（１７）に対して前記記録媒体（４１）を着脱することが可能な第２の位置とを選択的にとるように形成されている可動部分（４）と、
ＣＰＵ（９０）を含むコントロ−ラ(３１又は３１ａ)と、
前記コントローラ（３１又は３１ａ）の出力に基づいて駆動状態と非駆動状態とを選択的にとる電気的駆動装置(２８又は２８´、６２又は６２ａ)を含み、この電気的駆動装置(２８又は２８´、６２又は６２ａ)が駆動状態になった時に前記可動部分（４）を前記第１の位置から前記第２の位置に移動させるための可動部分移動手段(１５ａ、１５ｂ)と、
前記可動部分（４）を前記第１の位置から前記第２の位置へ移動させる時に操作するイジェクトスイッチ（５）と、
前記可動部分（４）が前記第１の位置に位置するか否かを検知するものであって、前記可動部分（４）が前記第１の位置にあるか否かに対応して二値の出力を送出する位置センサ（１３）と、
前記電気的駆動装置(２８又は２８´、６２又は６２ａ)を保護するための保護回路(６０又は６０ａ)と
を備え、
前記コントローラ（３１又は３１ａ）は前記位置センサ（１３）に接続された第１の入力端子（７１）と前記イジェクトスイッチ（５）に接続された第２の入力端子（７２）と前記電気的駆動装置(２８又は２８´６２又は６２ａ)に二値信号から成る制御信号を供給する出力端子（６１又は６１ａ）とを有し、且つ前記可動部分（４）が前記第１の位置に位置決めされていないことを示す信号が前記位置センサ（１３）から得られている時には前記電気的駆動装置(２８又は２８´６２又は６２ａ)の非駆動を示す制御信号を前記出力端子（６１又は６１ａ）に送出する機能を有し、且つこのコントローラ（３１又は３１ａ）が前記出力端子（６１又は６１ａ）に正常な制御信号を送出できる状態で前記イジェクトスイッチ（５）がイジェクト操作された時には前記電気的駆動装置(２８又は２８´６２又は６２ａ)の駆動を示す制御信号を前記出力端子（６１又は６１ａ）に送出する機能を有し、且つ前記イジェクトスイッチ（５）がイジェクト操作されていない時に前記電気的駆動装置(２８又は２８´６２又は６２ａ)の駆動を示す制御信号を前記出力端子（６１又は６１ａ）に送出する異常が発生する恐れを有しており、
前記保護回路(６０又は６０ａ)は前記コントローラ（３１又は３１ａ）の前記出力端子（６１又は６１ａ）に接続された一方の入力端子と前記位置センサ（１３）に接続された他方の入力端子と前記電気的駆動装置(２８又は２８´６２又は６２ａ)に接続された出力端子とを有し、前記位置センサ（１３）から前記可動部分（４）が前記第１の位置に位置決めされていないことを示す信号が発生していることに応答してイジェクト時に前記コントローラ（３１又は３１ａ）の出力端子（６１又は６１ａ）の制御信号に異常があっても前記コントローラ（３１又は３１ａ）の前記出力端子（６１又は６１ａ）の制御信号を無視して前記電気的駆動装置(２８又は２８´６２又は６２ａ)を非駆動状態にするための信号を前記電気的駆動装置(２８又は２８´６２又は６２ａ)に与える回路から成ることを特徴とするデータ変換装置。
【請求項２】
前記位置センサ（１３）は、前記可動部分（４）が前記第１の位置に位置決めされている時にオン状態となり、前記可動部分（４）が前記第１の位置に位置決めされていない時にオフ状態になるセンサスイッチ（１３ｃ）と、前記センサスイッチ（１３ｃ）の一端と直流電源端子（４５）との間に接続されたプルアップ抵抗（４４）と、前記センサスイッチ（１３ｃ）の他端をグランドに接続する手段と、前記センサスイッチ（１３ｃ）と前記プルアップ抵抗（４４）との間に設けられた出力端子（Ｐ１）とを有し、
前記コントローラは、このコントロ−ラの正常時において、前記電気的駆動装置(２８又は２８´６２又は６２ａ)の非駆動指令として高レベル電位の信号を発生し、前記電気的駆動装置(２８又は２８´６２又は６２ａ)の駆動指令として低レベル電位の信号を発生するように形成され、
前記保護回路は前記コントローラの出力が低レベルであると同時に前記センサスイッチ（１３ｃ）がオンの時にのみ前記電気的駆動装置（２８又は２８´、６２又は６２ａ）を駆動状態にするための出力を発生する論理回路（６７）であり、
前記論理回路（６７）の一方の入力端子は前記コントローラの出力端子に接続され、前記論理回路（６７）の他方の入力端子は前記センサスイッチ（１３ｃ）と前記プルアップ抵抗（４４）との接続点（Ｐ1）に接続されていることを特徴とする請求項１記載のデータ変換装置。
【請求項３】
前記位置センサ（１３）は、前記可動部分（４）が前記第１の位置に位置決めされている時にオン状態となり、前記可動部分（４）が前記第１の位置に位置決めされていない時にオフ状態になるセンサスイッチ（１３ｃ）と、前記センサスイッチ（１３ｃ）の一端と直流電源端子（４５）との間に接続されたプルアップ抵抗（４４）と、前記センサスイッチ（１３ｃ）の他端をグランドに接続する手段と、前記センサスイッチ（１３ｃ）と前記プルアップ抵抗（４４）との間に設けられた出力端子（Ｐ１）とを有し、
前記コントローラは、このコントロ−ラの正常時において、前記電気的駆動装置(２８又は２８´６２又は６２ａ)の非駆動指令として低レベル電位の信号を発生し、前記電気的駆動装置(２８又は２８´６２又は６２ａ)の駆動指令として高レベル電位の信号を発生するように形成され、
前記保護回路は、前記コントローラの出力が高レベルであると同時に前記センサスイッチ（１３ｃ）がオンの時にのみ前記電気的駆動装置（２８又は２８´、６２又は６２ａ）を駆動状態にするための高レベル出力を発生する論理回路（６０ａ）から成り、
前記論理回路（６０ａ）の一方の入力端子は前記コントローラの出力端子（６１ａ）に接続され、前記論理回路（６０ａ）の他方の入力端子は前記センサスイッチ（１３ｃ）と前記プルアップ抵抗（４４）との接続点（Ｐ1）に接続されていることを特徴とする請求項１記載のデ−タ変換装置。
【請求項４】
前記論理回路（６０ａ）は、コレクタが抵抗（８１）を介して前記コントローラ（３１ａ）の出力端子（６１ａ）に接続され、エミッタがグランドに接続され、ベースが前記センサスイッチ（１３ｃ）と前記プルアップ抵抗（４４）との接続点（Ｐ1）に接続されたＮＰＮ型トランジスタ（８０）と、
前記トランジスタ（８０）のコレクタに接続された出力手段（８３）とから成ることを特徴とする請求項３記載のデ−タ変換装置。
【請求項５】
前記可動部分移動手段は、前記可動部分（４）に対して前記第１の位置から前記第２の位置への方向の偏倚力を常に与えているイジェクト用バネ（２４ａ又は２４ａ´）と、前記イジェクト用バネ（２４ａ又は２４ａ´）の偏倚力に抗して前記可動部分（４）を前記第１の位置に保持するためのロック機構とを有し、
前記可動部分移動手段の前記電気的駆動装置は、前記ロック機構による前記可動部分（４）のロックを解除するための電磁駆動装置（２８又は２８´）と、前記コントロ−ラから発生した前記駆動指令に応答して前記電磁駆動装置（２８または２８´）を駆動状態にするための制御回路（６２又は６２ａ）とから成ることを特徴とする請求項１記載のデ−タ変換装置。
【発明の詳細な説明】
【０００１】
【発明の属する技術分野】
本発明は、ＣＰＵ即ちマイクロプロセッサを有するデ−タ変換装置に関する。
【０００２】
【従来の技術】
デ−タ変換装置の一種として、例えば米国特許５、８４４、８６６号に開示されているようなＣＤ−ＲＯＭドライブ即ちＣＤ−ＲＯＭ駆動装置が知られている。ＣＤ−ＲＯＭドライブはパ−ソナル・コンピュ−タの記憶装置として使用されている。パ−ソナルコンピュ−タのためのＣＤ−ＲＯＭドライブは、この容器の中にＣＤ−ＲＯＭ（以下において単にディスクと呼ぶこともある。）を配置するためのトレイを有する。ノ−トブック型パ−ソナルコンピュ−タ等の小型のパ−ソナルコンピュ−タのための小型なＣＤ−ＲＯＭドライブにおいては、ディスクからデ−タを読み取るための光ピックアップ、ディスクを回転するためのディスク回転モ−タ、及び光ピックアップをディスクの半径方向に送るための送りモ−タ即ちスレッド（sled）モ−タがトレイ(tray)に取付けられている。トレイはパ−ソナルコンピュ−タの容器に挿入された位置（第１の位置）とパ−ソナルコンピュ−タの容器から引き出された位置（第２の位置）とをとることができるように構成されている。
トレイを有するディスク装置は、トレイをイジェクトするためのバネと、このバネに抗してトレイをトレイ挿入位置にロックする機構と、イジェクト時にロック機構のロックを解除する機構とを有する。ロック解除機構はプランジャソレノイド装置を有し、イジェクト釦を操作した時にプランジャソレノイド装置が付勢され、これによりロックが解除され、トレイがイジェクト用バネの力でイジェクト位置に移動される。
【０００３】
【発明が解決しようとする課題】
ところで、ＣＤ−ＲＯＭドライブにおいて、ロック解除機構のプランシヤソレノイド装置の制御、ディスクを回転させるためのディスク回転モ−タの駆動及び停止の制御、及び送りモータの制御等は、ＣＰＵ(central  processing  unit)即ちマイクロプロセッサを含むコントロ−ラによって行われている。
もし、システムコントローラが暴走し、ロック解除用プランジャソレノイド装置に電流を流すための指令が連続して発生し続けると、ロックが解除された後にもプランジャソレノイド装置に電流が流れ続け、プランジャソレノイド装置の温度が高くなり、プランジャソレノイド装置、この近傍の樹脂で形成された部材、及び光ディスクが損傷又は変形する恐れがある。
【０００４】
そこで、本発明の目的は、ＣＰＵを含むコントローラの異常による電気的駆動装置の過熱又は破壊を防ぐことができるデータ変換装置を提供することにある。
【０００５】
【課題を解決するための手段】
上記課題を解決し、上記目的を達成するための本発明は、実施例を示す図面の符号を参照して説明すると、交換型記録媒体（４１）を使用してデータ変換を行うためのデ−タ変換装置であって、
固定部分（３）と、
前記記録媒体（４１）を配置するためのトレイ（１７）を有し且つ前記固定部分（３）に移動可能に支持され且つ前記記録媒体（４１）を使用してデ−タを変換することが可能な第１の位置と前記トレイ（１７）に対して前記記録媒体（４１）を着脱することが可能な第２の位置とを選択的にとるように形成されている可動部分（４）と、
ＣＰＵ（９０）を含むコントロ−ラ(３１又は３１ａ)と、
前記コントローラ（３１又は３１ａ）の出力に基づいて駆動状態と非駆動状態とを選択的にとる電気的駆動装置(２８又は２８´、６２又は６２ａ)を含み、この電気的駆動装置(２８又は２８´、６２又は６２ａ)が駆動状態になった時に前記可動部分（４）を前記第１の位置から前記第２の位置に移動させるための可動部分移動手段(１５ａ、１５ｂ)と、
前記可動部分（４）を前記第１の位置から前記第２の位置へ移動させる時に操作するイジェクトスイッチ（５）と、
前記可動部分（４）が前記第１の位置に位置するか否かを検知するものであって、前記可動部分（４）が前記第１の位置にあるか否かに対応して二値の出力を送出する位置センサ（１３）と、
前記電気的駆動装置(２８又は２８´、６２又は６２ａ)を保護するための保護回路(６０又は６０ａ)と
を備え、
前記コントローラ（３１又は３１ａ）は前記位置センサ（１３）に接続された第１の入力端子（７１）と前記イジェクトスイッチ（５）に接続された第２の入力端子（７２）と前記電気的駆動装置(２８又は２８´６２又は６２ａ)に二値信号から成る制御信号を供給する出力端子（６１又は６１ａ）とを有し、且つ前記可動部分（４）が前記第１の位置に位置決めされていないことを示す信号が前記位置センサ（１３）から得られている時には前記電気的駆動装置(２８又は２８´６２又は６２ａ)の非駆動を示す制御信号を前記出力端子（６１又は６１ａ）に送出する機能を有し、且つこのコントローラ（３１又は３１ａ）が前記出力端子（６１又は６１ａ）に正常な制御信号を送出できる状態で前記イジェクトスイッチ（５）がイジェクト操作された時には前記電気的駆動装置(２８又は２８´６２又は６２ａ)の駆動を示す制御信号を前記出力端子（６１又は６１ａ）に送出する機能を有し、且つ前記イジェクトスイッチ（５）がイジェクト操作されていない時に前記電気的駆動装置(２８又は２８´６２又は６２ａ)の駆動を示す制御信号を前記出力端子（６１又は６１ａ）に送出する異常が発生する恐れを有しており、
前記保護回路(６０又は６０ａ)は前記コントローラ（３１又は３１ａ）の前記出力端子（６１又は６１ａ）に接続された一方の入力端子と前記位置センサ（１３）に接続された他方の入力端子と前記電気的駆動装置(２８又は２８´６２又は６２ａ)に接続された出力端子とを有し、前記位置センサ（１３）から前記可動部分（４）が前記第１の位置に位置決めされていないことを示す信号が発生していることに応答してイジェクト時に前記コントローラ（３１又は３１ａ）の出力端子（６１又は６１ａ）の制御信号に異常があっても前記コントローラ（３１又は３１ａ）の前記出力端子（６１又は６１ａ）の制御信号を無視して前記電気的駆動装置(２８又は２８´６２又は６２ａ)を非駆動状態にするための信号を前記電気的駆動装置(２８又は２８´６２又は６２ａ)に与える回路から成ることを特徴とするデータ変換装置に係わるものである。
【０００６】
なお、請求項２及び３に示すように保護回路を論理回路で形成することができる。
また、請求項４に示すように論理回路をトランジスタで構成することができる。
また、請求項５に示すようにイジェクト用バネ２４ａ又は２４ａ´、ロック機構、ロック解除用電磁駆動装置２８又は２８´及び制御回路６２又は６２ａを設けることが望ましい。
【０００７】
【発明の効果】
請求項１の発明によれば、デ−タ変換装置のＣＰＵを含むコントローラの異常によるロック解除用電気的駆動装置の連続的通電を防止することができ、電気的駆動装置及びこの近傍の過熱、変形を防ぐことができる。
また、請求項２、３、４、５の発明によれば、比較的簡単な回路によって電気的駆動装置の保護を達成することができる。
【０００８】
【実施形態及び実施例】
次に、図１〜図１２を参照して本発明の実施形態及び実施例を説明する。
【０００９】
【第１の実施形態】
図１及び図２に概略的に示すように本発明の第１の実施形態に従うノ−トブック型パ−ソナルコンピュ−タ１は、デ−タ変換装置又はデータ記憶装置としてCD−ROMドライブ２を内蔵している。
ＣＤ−ＲＯＭドライブ２は、大別してパ−ソナルコンピュ−タ１の容器１ａの中に収容された固定部分３と、この固定部分３から引き出すことができる可動部分４とから成る。可動部分４は使用時に図２に示すように容器１ａ内に収容される。可動部分４に対して記録媒体ディスク（ＣＤ−ＲＯＭ）を着脱する時には、イジェクトスイッチ５を操作する。これにより、可動部分４を図２の挿入位置に保持するためのロック手段によるロックが解除される。ロックが解除されると、イジェクトバネの働きで可動部分４が容器１ａから少し突出する。その後、ディスク交換のために可動部分４は手動で図１のディスク交換位置まで引き出される。
【００１０】
図３はＣＤ−ＲＯＭドライブ装置２の機械的構成を更に詳しく示す。図１及び図２で概略的に示された固定部分３は、金属製容器１１と、プリント回路基板１２と、トレイ位置センサ１３と、トレイのガイド１４と、イジェクト機構１５ａと、ロック及びロック解除機構１５ｂとを有している。プリント回路基板１２は図８に示されているシステムコントローラ３１、モータサーボ回路３２、信号処理回路３５、安全回路４０、及び保護回路６０等を含み、ネジ１６ａ、１６ｂで容器１１に固定されている。なお、容器１１は、図４及び図５に概略的に拡大して示すように蓋即ちカバ−部１１ａを有する。しかし、図３はカバ−部１１ａを省いてＣＤ−ＲＯＭドライブを示している。
可動部分４は、図３、図４及び図５から明らかなように、第１及び第２の支持板４ａ、４ｂと、トレイ１７と、ディスク回転モータ１８と、光ピックアップ１９と、送りモータ２０と、前面板（フロントベゼル）２２と、イジェクトスイッチ５とを有する。
【００１１】
トレイ１７は図８に示す記録媒体としてのCD−ROM４１（以下、単にディスクと呼ぶ）を配置するためのものであって、ディスク４１に対応した凹部１７ａを有する。このトレイ１７は、図４及び図５から明らかなように第２の支持板４ｂに固着されている。また、第２の支持板４ｂはボス４ｄを介して第１の支持板４aに固定されている。第１及び第２の支持板４ａ、４ｂは金属板から成り、シャ−シと呼ぶこともできるものである。周知のディスク回転モ−タ１８、光ピックアップ１９、及び送りモ−タ２０は、第２の支持板４ｂの下側に取付けられている。従って、トレイ１７と第１及び第２の支持板４ａ、４ｂは、ディスク回転モータ１８、光ピックアップ１９及び送りモ−タ２０の支持体として機能している。光ピックアップ１９は送りモ−タ２０によってディスクの半径方向に相当する図３のB−B´方向に送られる。トレイ１７には開口２１が設けられている。図３において、光ピックアップ１９の一部及びディスク回転モ−タ１８の一部が開口２１から露出している。詳細には、トレイ１７の開口２１から光ピックアップ１９の周知の対物レンズ１９ａが露出し、更にディスク回転モ−タ１８のスピンドル１８ａに結合されたタ−ンテ−ブル１８ｂとディスク係合軸１８ｃとが露出している。可動部分４は固定部分３に摺動自在に支持されている。可動部分４の摺動を可能にするためにトレイ１７の両側面にレ−ル１７ｂがそれぞれ設けられている。この対のトレイ側レ−ル１７ｂは周知の可動レ−ル１７cをそれぞれ介して固定部分３の対のトレイガイド１４に設けられた溝に挿入されている。可動部分４は、これが固定部分３に挿入された位置即ち第１の位置と固定部分３から引き出された位置即ち第２の位置とを選択的にとることができる。可動部分４が図３に示すイジェクト位置又はディスク交換位置又は引き出し位置と呼ぶことができる第２の位置にある状態で可動部分４の前面板２２を手動で押圧すると、可動部分４は固定部分３のガイド１４に案内されて図４に示すデ−タ変換位置又は非露出位置又はトレイ挿入位置と呼ぶことができる第１の位置に移動する。可動部分４が図３に示す第２の位置にある時には、ディスク回転モ−タ１８のスピンドル１８ａに結合されたタ−ンテ−ブル１８ｂ及びディスク係合軸１８ｃが容器１１から露出しているので、ディスク４１の中心孔にディスク係合軸１８ｃを係合させること、及びディスク係合軸１８ｃからディスク４１を取り外すことが可能である。可動部分４が図４に示す第２の位置にある時には、可動部分4に配置されたディスク４１、タ−ンテ−ブル１８ｂ、ディスク係合軸１８ｃ、光ピックアップ19が固定部分3の容器１１のカバ−部分１１ａで覆われ、これらが保護され且つこれらが操作者に危害を加えない。
【００１２】
図１及び図２で既に説明したように可動部分４は固定部分３に対して摺動自在であり、図３のＡ−Ａ′方向に摺動し、第１及び第２の位置に選択的に位置決めされる。可動部分４を固定部分３の容器１１の中に挿入すると、可動部分４の第１の支持板４ａの背面４ｃがトレイ位置センサ１３を構成するセンサスイッチ１３ｃのアクチュエ−タ１３ａを押圧する。これにより、トレイ位置センサ１３が、トレイ１７を含む可動部分４が挿入位置(第１の位置)に位置決めされたことを示す信号を出力する。また、可動部分４はロック及びロック解除機構１５ｂで第１の位置にロックされる。可動部分４が固定部分３に挿入された状態でイジェクトボタン５ａが操作されると、ロック及びロック解除機構１５ｂによるロックが解除され、可動部分４がイジェクト機構１５ａによって図４で矢印で示す方向に押圧されて図５に示すイジェクト位置まで移動する。これにより、トレイ位置センサ１３はトレイ１７を含む可動部分４のイジェクトを示す出力を発生する。トレイ１７は第１及び第２の支持板４ａ、４ｂと共にディスク回転モータ１８の支持体として機能しているので、トレイ位置センサ１３は、支持体又は可動部分４の位置センサとして機能している。
【００１３】
可動部分４の移動手段の一部として機能するイジェクト機構１５ａは、図３〜図５に示すようにイジェクト用コイルバネ２４ａとスライド板２４ｂとから成る。スライド板２４ｂは固定部分３の容器１１に植設されたピン２４ｃにガイドされて図３のＡ−Ａ′方向に移動自在である。コイルバネ２４ａの一端はスライド板２４ｂに係止され、他端は容器１１に係止されている。スライド板２４ｂの折曲部２４ｄはトレイ１７の背面側の押圧部分１７ｄに接触するように形成されている。なお、トレイ１７の押圧部分１７ｄはガイド１４に沿って配置されておる。トレイ１７を挿入位置(第１の位置)まで挿入すると、トレイ１７の押圧部分１７ｄによってスライド板２４ｂが押圧されて図４の位置に移動する。これにより、コイルバネ２４ａが伸びてここに弾性エネルギーが蓄積される。トレイ１７を含む可動部分４は図４に示す第１の位置にロック及びロック解除機構１５ｂによってロックされる。ロック及びロック解除機構１５ｂがロック解除状態になると、トレイ１７及びスライド板２４ｂが移動自在になるので、コイルバネ２４ａの第１の位置から第２の位置への方向の偏倚力即ち復元力により、スライド板２４ｂ及びトレイ１７は図５のイジェクト位置に移動する。図５のイジェクト位置は、固定部分３から可動部分４を僅かに突出させる位置である。従って、手動によって可動部分４を図３に示すディスク交換が可能な最終的イジェクト位置即ち第２の位置まで引き出す。トレイ１７、可動レール１７ｃ及びトレイガイド１４は、可動部分４の固定部分３からの離脱を防いで可動部分４を第２の位置に位置決めするように形成されている。
【００１４】
ロック及びロック解除機構１５ｂは、可動部分４の底面に設けられたロック用突起２５と、固定部分３の容器１１に固着された軸２６に回動自在に支持されているロック用レバー２７と、固定部分３の容器１１に固定された電気的駆動装置又は電気―機械変換装置としてのプランジャソレノイド装置２８とから成る。ここで突起２５とレバ−２７とによってロック機構が形成され、プランジャソレノイド装置２８によってロック解除機構が形成されている。図６及び図７は図３のロック及びロック解除機構１５ｂのロック状態とロック解除状態とを詳しく示す。軸２６に支持されたロック用レバー２７はバネ２９によって図６で反時計回り方向に偏倚されている。従って、図６のロック状態においては、可動部分４の突起２５がレバー２７のフック部２７ａで係止され、図６の矢印の方向への移動が阻止される。レバー２７のフック部２７ａの外側には傾斜面２７ｂが設けられ、フック部２７ａは先細に形成されている。従って、トレイ１７を含む可動部分４の突起２５が図３の位置からトレイ１７の手動による挿入に伴なって傾斜面２７ｂを押圧すると、レバー２７は図６で時計回り方向に回動し、突起２５がフック部２７ａの中に入り込み、ロックが成立する。
【００１５】
レバー２７のアーム部２７ｃには、長孔２７ｄが形成されており、ここにプランジャソレノイド装置２８のプランジャ２８ａが挿入されている。プランジャ２８ａがプランジャソレノイド装置２８のソレノイド２８ｂによって吸引されると、プランジャ２８ａの頭部２８ｃがロックレバー２７のアーム部２７ｃに係合し、図７に示すようにロック用レバー２７を時計回り方向に回動させる。これにより、図７で矢印で示す突起２５の通路からフック部２７ａが取り除かれ、ロック解除状態となり、突起２５を伴なった可動部分４は図３のイジェクト用コイルバネ２４ａの力で挿入位置（第１の位置）から図５のイジェクト位置(第２の位置)に移動する。図６及び図７では、プランジャの頭部２８ｃがロック用レバー２７の反時計回り方向のストッパとしても機能している。
【００１６】
上述から明らかなように、トレイ１７、第１及び第２の支持板４ａ、４ｂを伴なった可動部分４を第１及び第２の位置に位置決めするための位置決め手段は、固定部分３のトレイガイド１４、可動部分４の対のレール１７ｂ、対の可動レール１７ｃ、ロック及びロック解除機構１５ｂ等で構成されている。
また、イジェクト機構１５ａとロック及びロック解除機構１５ｂとによって可動部分４の移動手段が構成されている。
【００１７】
可動部分4の前面板（フロントベゼル）２２は、第1の支持板4ａに固着されている。周知のイジェクトスイッチ5の操作部分即ちイジェクトボタン５ａは、前面板１２に設けられている。このイジェクトボタン5ａはプランジャソレノイド装置２８を作動させる時に操作される。前面板２２には図3で破線で示す周知の強制的イジェクト用の孔９９が設けられている。イジェクトボタン５ａの操作でロック及びロック解除機構１５ｂによるロック状態の解除が不可能の時に、強制的にイジェクト用孔９９にピンを挿入し、手動によってロック用レバ−２７のロック状態を解除する。
【００１８】
図８は図３のＣＤ−ＲＯＭドライブ２の電気回路を示す。本発明に従うＣＤ−ＲＯＭドライブ２は、図３に示したイジェクトスイッチ５、トレイ位置センサ１３、イジェクト機構１５ａ、ロック及びロック解除機構１５ｂ、ディスク回転モータ１８、光ピックアップ１９、及び送りモータ２０の他に、システムコントローラ３１、ディスクモータサーボ回路３２、送りモータ制御回路３３、増幅及び演算回路３４、再生信号処理回路３５、インタフェース３６、フォーカスサーボ回路３７、トラッキングサーボ回路３８、発光制御回路３９、安全回路４０、保護回路６０、及びソレノイド制御回路６２等を有している。
【００１９】
ディスク回転モータ１８のディスク係合軸１８ｃに着脱自在に装着されるＣＤ−ＲＯＭから成る記録媒体ディスク４１は渦巻状データトラックを有する。このトラックには、周知の光学ピットによってデータが記録されている。ディスク４１からデータを読み取る時には光ピックアップ１９からレーザビームをディスク４１に投射し、この反射光を光ピックアップ１９で検出する。
【００２０】
信号変換器又は信号変換ヘッドとしての光ピックアップ１９は周知のレーザダイオード、周知の複数個（例えば６個）のフォトダイオードから成る光検出器、トラッキング制御用アクチュエータ、フォーカス制御用アクチュエータ等を有する。光ピックアップ１９のレーザダイオードには一般にオートパワーコントロール回路（ＡＰＣ回路）と呼ばれている発光制御回路３９が接続されている。レーザダイオードは発光制御回路３９の制御に基づいて点灯する。
【００２１】
光ピックアップ１９の光検出器を構成する複数のフォトダイオードの出力は周知の増幅及び演算回路３４に送られる。増幅及び演算回路３４は複数の増幅器の他に、複数の加算器、複数の減算器を含み、周知の方法によってデータの再生信号とフォーカス制御信号とトラッキング制御信号とを形成する。
【００２２】
増幅及び演算回路３４から得られた光ピット（データ）に対応した再生信号は周知の再生信号処理回路３５で処理される。再生信号処理回路３５は周知の波形整形回路（２値化回路）、ＰＬＬ回路、復調回路等を含み、リードデータを作成し、これをインタフェース３６を介してホスト装置４２に送る。ホスト装置４２は図１及び図２に示したパーソナルコンピュータ１のホストコンピュータから成る。
【００２３】
フォーカスサーボ回路３７は増幅及び演算回路３４から得られたフォーカス制御信号に応答してフォーカスアクチュエータの駆動信号を形成する。フォーカスアクチュエータは光ピックアップ１９の対物レンズ１９ａをディスク４１の主面に対して垂直方向に即ちレーザビームの光軸方向に変位させる。なお、フォーカスサーボ回路３７においてフォーカスサーボのオン・オフ制御、及び位相補償特性の切換制御を行うために、システムコントローラ３１がフォーカスサーボ回路３７に接続されている。
【００２４】
トラッキングサーボ回路３８は、増幅及び演算回路３４から得られたトラッキング制御信号に応答してトラッキングアクチュエータの駆動信号を形成する。トラッキングアクチュエータは、光ピックアップ１９の対物レンズ１９ａをディスク４１の面方向即ちレーザビームの光軸に直交する方向に変位させる。なお、トラッキングサーボ回路３８においてトラッキングサーボのオン・オフ制御、及び位相補償特性の切換制御及びレーザビームのジャンピング制御を行うために、システムコントローラ３１がトラッキングサーボ回路３８に接続されている。
【００２５】
光ピックアップ１９をディスク４１の半径方向に送るための送りモータ制御回路３３は、システムコントローラ３１から導出されているライン４３のシークデータ、及びトラッキングサーボ回路３８から与えられた送り制御信号に応答して送りモータ２０を駆動する。
図８のイジェクトスイッチ５は図３のイジェクトボタン５ａとこのイジェクトボタン５ａの操作でオンになる対の接点５ｂとを有する。イジェクトスイッチ５の対の接点５ｂは電源端子５５とグランドＧとの間にプルアップ抵抗５４を介して接続されているので、スイッチ５がオンになった時に低レベルの信号をシステムコントローラ３１の入力端子７２に送り、ソレノイド制御回路６２を動作させる。
【００２６】
制御手段としてのシステムコントローラ３１はＣＰＵ９０即ちマイクロプロセッサを含む。システムコントローラ３１によって各種の制御を実行するために、システムコントローラ３１はバス３６ａ、インタフェース３６及びバス３６ｂを介してホスト装置４２に接続されている。また、システムコントローラ３１の入力端子７１にトレイセンサ１３が抵抗７０を介して接続されている。トレイ位置センサ１３は、アクチュエータ１３ａと対の接点１３ｂとから成るセンサスイッチ１３ｃ及びプルアップ抵抗４４を有している。センサスイッチ１３ｃの対の接点１３ｂの一方は１０ｋΩのプルアップ抵抗４４を介して５Ｖの直流電源端子４５に接続され、対の接点１３ｂの他方はグランドＧに導体で接続されている。センサ出力端子Ｐ１が抵抗４４とセンサスイッチ１３ｃとの間に設けられている。このセンサ出力端子Ｐ１はシステムコントローラ３１の入力端子７１に抵抗７０を介して接続され、且つ安全回路４０と保護回路６０にも接続されている。センサスイッチ１３ｃはトレイ１７を含む可動部分４が固定部分３の容器１１に挿入された時にオンになり、センサ出力端子Ｐ1に低レベルのトレイ挿入検出信号が得られる。また、トレイ１７がイジェクトされた時にはセンサスイッチ１３ｃがオフになり、センサ出力端子Ｐ1に高レベルのイジェクト検出信号が得られる。なお、センサスイッチ１３ｃを、トレイ１７のイジェクト時にオンになって低レベル出力を発生し、トレイ１７が容器１１に挿入された時にオフになって高レベル出力を発生するように変形することができる。このように変形した時には、センサ出力端子Ｐ1と安全回路４０及び保護回路６０との間にＮＯＴ回路を接続するか、又は安全回路40及び保護回路６０を変形する。
【００２７】
ＣＰＵ９０を含むシステムコントロ−ラ３１は等価的又は機能的に図９に示すディスク回転モ−タ駆動及び停止制御信号発生回路９３、光ピックアップ系駆動及び停止制御信号発生回路９４、発光オン・オフ制御信号発生回路９５、ソレノイド駆動制御信号発生回路９６、ディスク回転モ−タ速度指令発生回路９７、及びシ−ク指令発生回路９８を有する。
【００２８】
ディスク回転モ−タ駆動及び停止制御信号発生回路９３は第１及び第２の入力端子７１、７２、バス３６ａ及び出力端子４８に接続され、ディスク回転モ−タ１８の駆動と停止とを示す信号を形成し、この信号を出力端子４８に送出する。即ち、コントロ−ラ３１が正常の場合において、ディスク回転モ−タ駆動及び停止制御信号発生回路９４は、駆動指令発生手段としてのインタフェース３６からバス３６ａを介して供給されたディスク４１の回転指令、又は入力端子７２に与えられたトレイセンサスイッチ１３ｃのオンを示す信号に基づいて論理の０に相当する低レベル電位から成るモ−タオン制御信号即ちモ−タ駆動制御信号を出力端子４８に送出し、また、バス３６ｂから供給されたディスクの回転停止指令、又は入力端子７２に与えられたイジェクトスイッチ５の操作を示す信号、又は入力端子７１に与えられたトレイセンサスイッチ１３ｃのオフを示す信号に基づいて論理の１に相当する高レベル電位から成るモ−タオフ制御信号即ちモ−タ停止制御信号を出力端子４８に送出する。
【００２９】
ピックアップ系駆動及び停止制御信号発生回路９４は、送りモ−タ及びフォ−カスアクチュエ−タ及びトラッキングアクチュエ−タのための駆動及び停止制御信号発生回路とも呼ぶことができるものであって、２つの入力端子７１、７２、バス３６ａ及び出力端子４９に接続され、送りモ−タ２０の駆動と停止とを示す信号及びフォ−カスサ−ボ回路３７の駆動と停止とを示す信号及びトラッキングサ−ボ回路３８の駆動と停止とを示す信号を形成し、この信号を出力端子４９に送る。即ち、コントロ−ラ３１が正常の場合において、ピックアップ系駆動及び停止制御信号発生回路９４は、バス３６ａから供給された送りモ−タ２０の駆動指令、又はフォ−カスサ−ボ回路２７の駆動指令、又はトラッキングサ−ボ回路３８の駆動指令、又は入力端子７１に与えられるトレイセンサスイッチ１３ｃのオンを示す信号に基づいて論理の０に相当する低レベル電位から成る光ピックアップ系オン制御信号を出力端子４９に送出する。また、ピックアップ系駆動及び停止制御信号発生回路９４は、バス３６ａから供給された送りモ−タ２０の停止指令、又はフォ−カスサ−ボ回路３７の停止指令、又はトラッキングサ−ボ回路３８の停止指令、又は入力端子７２に与えられたイジェクトスイッチ５の操作を示す信号、又は入力端子７１に与えられたトレイセンサスイッチ１３ｃのオフを示す信号に基づいて論理の１に相当する高レベル電位から成る光ピックアップ系オフ制御信号を出力端子４９に送出する。
【００３０】
発光オン・オフ制御信号発生回路９５は、２つの入力端子７１、７２、バス３６ａ、及び出力端子５０に接続され、光ピックアップ１９に含まれている周知のレ−ザダイオ−ドのオン及びオフを示す信号を形成し、この信号を出力端子５０に送る。即ち、コントロ−ラ３１が正常の場合において、発光オン・オフ制御信号発生回路９５は、バス３６ａから供給された発光指令、又は入力端子７１に与えられたトレイセンサスイッチ１３ｃのオンを示す信号に基づいて論理の０に相当する低レベル電位から成る発光オン制御信号即ちレ−ザダイオ−ド駆動制御信号を出力端子５０に送出する。また、発光オン・オフ制御信号発生回路９５は、バス３６ｂから供給された発光停止指令、又は入力端子７２に与えられたイジェクトスイッチ５の操作を示す信号、又は入力端子７１に与えられたトレイセンサスイッチ１３ｃのオフを示す信号に基づいて論理の１に相当する高レベル電位から成る発光オフ制御信号即ちレ−ザダイオ−ド停止制御信号を出力端子５０に送出する。
【００３１】
ソレノイド駆動制御信号発生回路９６は、入力端子７２とバス３６ａと出力端子９６ａとに接続され、プランジャソレノイド装置２８を駆動制御信号を形成し、これを出力端子６１に送出する。出力端子６１のソレノイド駆動制御信号は保護回路６０を介してソレノイド制御回路６２に供給される。即ち、ソレノイド駆動制御信号発生回路９６は、バス３６aから供給されたイジェクト指令又はイジェクトスイッチ５のオン操作に基づいてソレノイド駆動制御信号を形成し、これを保護回路６０を介してソレノイド制御回路６２に送る。なお、出力端子６１におけるプランジャソレノイド装置２８のオン駆動制御信号の発生時点は、別の出力端子４８、４９、５０におけるデスクモータサーボ回路３２、送りモータ制御回路３３、及び発光制御回路３９をオフに制御することを示すそれぞれの信号の発生時点よりも少し遅れている。
【００３２】
ディスク回転モ−タ速度指令発生回路９７はバス３６aと出力ライン４６とに接続され、ディスク回転モ−タ１８の速度指令をライン４６を介してディスクモ−タサ−ボ回路３２に送る。
シ−ク指令発生回路９８はバス３６ａと出力ライン４３とに接続され、送りモ−タ制御回路３３にライン４３を介してシ−ク指令を送る。
【００３３】
システムコントロ−ラ３１の出力端子４８、４９及び５０は、安全回路４０を介してディスクモ−タサ−ボ回路３２、送りモ−タサ−ボ回路３３、フォ−カスサ−ボ回路３７、トラッキングサ−ボ回路３８及び発光制御回路３９に接続されている。
【００３４】
図８の実施例では、プランジャソレノイド制御回路６２は、５Ｖの電源端子６３とソレノイド２８ｂとの間に接続された電子スイッチとしてのＰＮＰ型トランジスタ６４と、２つの抵抗６５、６６とから成る。トランジスタ６４のエミッタは電源端子６３に接続され、コレクタはソレノイド２８ｂに接続され、ベ−スは抵抗６６を介して保護回路６０のＯＲ回路６７に接続されている。また抵抗６５はトランジスタ６４のエミツタ・ベ−ス間に接続されている。従って、トランジスタ６４は保護回路６０の出力電圧が低レベルの時にオンになって、ソレノイド２８ｂに電流を供給する。
【００３５】
保護回路６０を構成するＯＲ回路６７の一方の入力端子はシステムコントロ−ラ３１のイジェクト信号出力端子６１に接続され、他方の入力端子はトレイ挿入及びイジェクト検出のためのセンサスイッチ１３ｃとプルアップ抵抗４４との接続点Ｐ1に接続されている。システムコントロ−ラ３１の正常時には、イジェクトスイッチ5のオン操作に応答して出力端子６１に低レベルのイジェクト指令を発生し、このイジェクト指令は、センサスイッチ１３ｃのオフによって終了する。従って、本発明に従う保護回路６０を設けなくても、システムコントロ−ラの正常時には何らの問題も発生しない。しかし、システムコントロ−ラ３１が異常になり、センサスイッチ１３ｃがオフになっても出力端子６１が低レベルに保たれる恐れがある。この場合に、もし保護回路６０が無いと、プランジャソレノイド制御回路６２のトランジスタ６４がオンを継続し、ソレノイド２８ｂに電流が流れ続け、プランジャソレノイド装置２８及びこの近傍の温度が異常に高くなる。これに対して、本発明に従う保護回路６０を設けると、システムコントロ−ラ３１の出力端子６１が異常で低レベル状態を維持しても、ＯＲ回路６７の他方の入力端子がセンサスイッチ１３ｃのオフに応答して高レベルになるため、ＯＲ回路６７の出力が高レベルに反転し、トランジスタ６４がオフに反転し、ソレノイド２８ｂの電流が遮断され、プランジャソレノイド装置２８の異常の温度上昇が防止される。この結果、システムコントロ−ラ３１の異常によるプランジャソレノイド装置２８及びこの近傍の過熱及び変形が防止され、且つ電力消費が制限される。
【００３６】
システムコントローラ３１が正常に動作していれば、安全回路４０を有さない従来のＣＤ−ＲＯＭドライブ装置であってもイジェクト時の安全性が確保される。しかし、従来装置においてシステムコントローラ３１が異常になり、センサスイッチ１３ｃがイジェクト状態を示しているにも拘らず、出力端子４８、４９、５０にイジェクトに対応するオフ制御信号（ミュート信号）が発生しないと、イジェクトされたトレイ１７上でディスク回転モータ１８及びディスク４１が回転を継続し、また送りモータ２０が回転し、また光ピックアップ１９のレーザダイオードからレーザビームが放出されたままになる。
【００３７】
安全回路４０は上述の問題を解決するためのものであって、第１、第２及び第３のＮＯＲゲート５１、５２、５３から成る。第１のＮＯＲゲート５１の一方の入力端子は出力端子４８に接続され、他方の入力端子はセンサスイッチ１３ｃの上端の接続点Ｐ1 に接続され、この出力端子はライン４８ａを介してディスクモータサーボ回路３２に接続されている。第２のＮＯＲゲート５２の一方の入力端子はシステムコントローラ３１の出力端子４９に接続され、他方の入力端子は接続点Ｐ1 に接続され、この出力端子はライン４９ａを介して送りモータ制御回路３３とフォ−カスサ−ボ回路３７とトラッキングサ−ボ回路３８とに接続されている。第３のＮＯＲゲート５３の一方の入力端子はシステムコントローラ３１の出力端子５０に接続され、他方の入力端子は接続点Ｐ1 に接続され、この出力端子はライン５０ａを介して発光制御回路３９に接続されている。
【００３８】
システムコントローラ３１が正常時において、イジェクトボタン５ａがイジェクト操作されて図８のイジェクトスイッチ５がオンになった時、またはホスト装置４２からのイジェクト指令が発生した時には、システムコントローラ３１は出力端子４８、４９、５０に高レベル電位（以下Ｈと言う）のオフ指令を発生する。また、ディスクモータ１８、送りモータ２０、フォーカスサーボ回路３７、トラッキングサーボ回路３８及び発光制御回路３９をオンにする時には、システムコントローラ３１は出力端子４８、４９、５０に低レベル電位（以下Ｌと言う）のオン指令を発生する。
システムコントローラ３１の正常時において、正常にイジェクト操作されると、イジェクト開始前に出力端子４８、４９、５０がＨになる。この結果、ＮＯＲゲート５１、５２、５３の出力ライン４８ａ、４９ａ、５０ａはセンサスイッチ１３ｃの状態に無関係にＬになる。ディスクモータサーボ回路３２、送りモータサーボ回路３３、フォーカスサーボ回路３７、トラッキングサーボ回路３４、及び発光制御回路３９は、ライン４８ａ、４９ａ、５０ａがＬの時にオフ、Ｈの時にオンになるように構成されているので、正常イジェクト操作によってイジェクト動作を開始する前にディスクモータ１８、送りモータ２０、光ピックアップ１９のフォーカス及びトラッキングアクチュエータ、及びレーザダイオードがオフになる。システムコントローラ３１は安全性確保のために上記のオフ制御の後にイジェクト指令をロック及びイジェクト装置１５に与える。これにより、ディスク４１及びトレイ１７がイジェクト状態になる。
ディスク４１及びトレイ１７がイジェクトされる時にはディスクモータ１８等が停止操作されているので、操作者に危険を及ぼすことがない。
【００３９】
エマージェンシーイジェクト操作によって強制的に可動部分４がイジェクトさせると、センサスイッチ１３ｃがオフになり、電源電圧が正常の場合には接続点Ｐ1 が約５Ｖ即ちＨになる。この結果、ＮＯＲゲート５１、５２、５３の出力端子ライン４８ａ、４９ａ、５０ａはシステムコントローラ３１の出力端子４８、４９、５０の状態に無関係にＬになり、ディスクモータ１８、送りモータ２０、トラッキング制御用アクチュエ−タ、フォ−カス制御用アクチュエ−タ及びレ−ザダイオ−ド等がオフ操作される。即ち、イジェクトと同時にディスクモータ１８、送りモータ２０、トラッキング制御用アクチュエ−タ、フォ−カス制御用アクチュエ−タ及びレ−ザダイオ−ド等がオフ状態になり、操作者の安全性が確保される。
上述から明らかなように、安全回路４０のＮＯＲゲート５１、５２、５３は、システムコントローラ３１の出力ライン４８、４９、５０のＨ、Ｌ状態に無関係にディスクモータ１８、送りモータ２０、トラッキング制御用アクチュエ−タ、フォ−カス制御用アクチュエ−タ及びレ−ザダイオ−ド等をオフ操作する。即ち、システムコントローラ３１が暴走しているためにセンサスイッチ１３ｃのオフ操作に応答して出力端子４８、４９、５０をＬ状態からＨ状態に転換できない場合であっても、ＮＯＲゲート５１、５２、５３は、出力ライン４８ａ、２９ａ、５０ａをＬ状態に転換させ、ディスクモータ１８、送りモ−タ２０、トラッキング制御用アクチュエ−タ、フォ−カス制御用アクチュエ−タ等をオフ操作する。
【００４０】
なお、図８において、ディスクモータ１８、送りモータ２０等をオンにする時には、システムコントローラ３１は出力端子４８、４９、５０にＬを出力する。この時、センサスイッチ１３ｃがオン状態（挿入状態）にあると、ＮＯＲゲート５１、５２、５３のそれぞれの２つの入力がＬとなり、これ等の出力ライン４８ａ、４９ａ、５０ａはＨとなり、ディスクモータ１８、送りモータ２０等が駆動される。
【００４１】
システムコントロ−ラ３１の入力段の抵抗７０は、システムコントロ−ラ３１の入力端子の異常による異常動作を防いでいる。即ち、システムコントロ−ラ３１の異常でセンサスイッチ１３ｃがオフであるにも拘らず、入力端子７１が低レベルの時であっても、抵抗７０の働きによって接続点Ｐ1の電位の低下が少なくなり、接続点Ｐ1を実質的に高レベルに保ち、ソレノイド２８ｂの通電を遮断することができる。
【００４２】
【第２の実施例】
次に、図１０を参照して第２の実施例のＣＤ−ＲＯＭドライブ装置を説明する。但し、図１０及び後述する図１１〜１３において、図１〜図９と実質的に同一の部分には同一の符号を付してその説明を省略する。また、図１０〜図１３の説明において、図１〜図９も参照する。
【００４３】
図１０は第２の実施例のＣＯ―ＲＯＭドライブ装置の一部を示す。第２の実施例のＣＤ−ＲＯＭドライブ装置の図１０に示されていない部分は第１の実施例と同一に構成されている。図１０のＣＤ―ＲＯＭドライブ装置は、システムコントロ−ラ３１ａ、保護回路６０ａ、プランジャソレノイド制御回路６２ａが図８のこれ等と相違している他は、図８と同一に構成されている。
【００４４】
図１０のシステムコントロ−ラ３１ａは、この正常動作時に、イジェクトスイッチ５のオン操作によって出力端子６１ａに高レベルのイジェクト指令即ち駆動指令を発生するように構成されている。このため、保護回路６０ａは、インヒビットＡＮＤゲ−トと等価に構成されている。即ち、保護回路６０ａは、論理回路を構成するためのＮＰＮ型トランジスタ８０と、２つの抵抗８１、８２とから成る。トランジスタ８０のコレクタは抵抗８１を介してコントロ−ラ３１ａの出力端子６１ａに接続され、エミッタはグランドに接続され、ベ−スは接続点Ｐ１に接続されている。また、抵抗８２はトランジスタ８０のベ−ス・エミッタ間に接続されている。保護回路６０ａの出力手段としてのライン８３はトランジスタ８０のコレクタに接続されている。この保護回路６０ａは、システムコントロ−ラ３１ａの出力端子６１ａが高レベルであると共に接続点Ｐ１が低レベルの時のみに出力ライン８３が高レベルになるインヒビット（inhibit）ＡＮＤ論理回路である。従って、システムコントロ−ラ３１ａの異常で出力端子６１ａに高レベル出力が連続的に発生しても、イジェクトによって接続点Ｐ１が高レベルになると、トランジスタ８０がオンになって保護回路６０ａの出力ライン８３が低レベルになり、ソレノイド２８ｂが非通電になる。
【００４５】
保護回路６０ａの高レベル出力でソレノイド２８ｂを通電状態にし、低レベルで非通電状態にするために、ソレノイド制御回路６２ａに反転回路８４が付加されている。反転回路８４は副電子スイッチとしてのＮＰＮ型トランジスタ８５と２つの抵抗８６、８７とから成る。トランジスタ８５のコレクタは抵抗６６を介して主電子スイツチとしての主トランジスタ６４のベ−スに接続され、このエミッタはグランドに接続され、このベ−スは抵抗８６を介して保護回路６０ａの出力ライン８３に接続されている。抵抗８７はトランジスタ８５のベ−ス・エミツタ間に接続されている。ライン８３が高レベルの時には、トランジスタ８５がオンになり、このコレクタが低レベル(グランドレベル)になるので、主トランジスタ６４がオンになる。またライン８３が低レベルの時には、反転用トランジスタ８５がオフになり、このコレクタは高レベルになり、主トランジスタ６４はオフになる。
【００４６】
第２の実施例では、第１の実施例と同一の作用効果を有する他に、保護回路６０ａを簡単に構成できるという効果も有する。
【００４７】
【第３の実施例】
図１１〜１３は第３の実施例のＣＤ−ＲＯＭドライブ装置を図３〜図５と同様に示す。第３の実施例のＣＤ―ＲＯＭドライブ装置は、図１〜図９に示した第１の実施例のイジェクト機構１５ａとロック及びロック解除機構１５ｂとを変形したイジェクト機構１５ａ´とロック及びロック解除機構１５ｂ´とを設け、この他は第１の実施例と同一に構成したものである。図１１〜図１３において参照符号２４ａ´、２４ｂ´、２４ｃ´２４ｄ´、２５´、２６´、２７´、２８´、２８ａ´、２８ｂ´で示すものは、図３〜図７でダッシュを付さないで示す参照符号２４ａ、２４ｂ、２４ｃ、２４ｄ、２５、２６、２７、２８、２８ａ、２８ｂと実質的に同一のものである。従って、これ等の詳しい説明は省略する。
図１１〜図１３の第３の実施例においては、イジェクト機構１５ａ´とロック及びロック解除機構１５ｂ´とが可動部分３のトレイ１７に設けられ、突起２５´が容器１１に設けられている。即ち、イジェクト機構１５ａ´のスライド板２４ｂ´はトレイ１７に植設されたピン２４ｃ´にガイドされてトレイ１７の底面に図１１のＡ-Ａ´方向に移動自在に配置されている。イジェクト用コイルバネ２４ａ´の一端はトレイ１７ｄの端面１７ｄの近くに係止され、他端はスライド板２４ｂ´の端に係止されている。トレイ１７が図１３のイジェクト位置にある時にはコイルバネ２４ａ´が圧縮状態に復元し、スライド板２４ｂ´の左側部分がトレイ１７の端面１７ｄよりも左側に突出する。トレイ１７を図１２に示すように挿入すると、コイルバネ２４ａ´が伸びてこれに弾性エネルギ−が蓄積される。従って、図１２の挿入位置ではコイルバネ２４ａ´がトレイ１７にイジェクト方向の偏倚力を与えている。
【００４８】
ロック及びロック解除機構１５ｂ´のプランジャソレノイド装置２８´はトレイ１７に固着され、また、ロック用レバ−２７´もトレイ１７の軸２６´に回動自在に支持されている。逆にロック用突起２５´は図１１に示すように固定部分３の容器１１に設けられている。
【００４９】
この第３の実施例によっても第１の実施例と同一の効果を得ることができる。
【００５０】
【変形例】
本発明は、上述の実施例に限定されるものでなく、例えば次の変形が可能なものである。
（１）  イジェクト用バネ２４ａ又は２４ａ´を駆動源としてトレイ１７を挿入位置からイジェクト位置に移動させる代わりに、モ−タ装置等の電気的駆動装置を駆動源として移動させることができる。また、各実施例ではトレイ１７をイジェクト装置から挿入位置まで手動で移動し、またトレイ１７がバネ２４ａ又は２４ａ´によってイジェクトされた中間位置からディスク変換可能なイジェクト最終位置まで、トレイ１７を手動によって移動しているが、このトレイ１７の全ての移動を電気的駆動装置によって行うことができる。
（２）  安全回路４０の３つのＮＯＲゲ−ト５１、５２、５３の代わりに、１つのＮＯＲゲ−トを設け、この１つのＮＯＲゲ−トの出力端子にライン４８ａ,４９ａ、５０ａをそれぞれ接続することができる。
（３）  本発明は、ＣＤ−ＲＯＭドライブ装置等の光ディスク装置に限らず磁気記録ディスクドライブ装置、光磁気ディスクドライブ装置等にも適用することができる。
【図面の簡単な説明】
【図１】本発明の第１の実施形態に従うＣＤ−ＲＯＭドライブを備えたパソコンをトレイのイジェクト状態で概略的に示す斜視図である。
【図２】図１のパソコンをトレイ挿入状態で概略的に示す斜視図である。
【図３】第１の実施形態のＣＤ−ＲＯＭドライブをそのカバーを取り外した状態で示す平面図である。
【図４】図３のＣＤ−ＲＯＭドライブをトレイ挿入状態とし且つカバーを設けた状態としたものの一部を、図３のＣ−Ｃ´線に相当する部分で示す拡大断面図である。
【図５】図４のトレイがイジェクトされた状態を図４と同様に示す断面図である。
【図６】図３のロック及びロック解除機構をロック状態で示す拡大平面図である。
【図７】図３のロック及びロック解除機構をロック解除状態で示す拡大平面図である。
【図８】第１の実施形態に従うＣＤ−ＲＯＭドライブ及びホスト装置を示すブロック図である。
【図９】図８のシステムコントローラの一部を等価的に示すブロック図である。
【図１０】第２の実施形態のＣＤ−ＲＯＭドライブの電気回路の一部を示すブロック図である。
【図１１】第３の実施例のＣＤ−ＲＯＭドライブ装置の一部をそのカバ‐を取り外した状態で示す平面図である。
【図１２】図１１のＣＤ-ＲＯＭドライブをトレイ挿入状態とし且つカバ−を設けた状態としたものの一部を、図１１のＤ‐Ｄ´線に相当する部分で示す拡大断面図である。
【図１３】第３の実施例においてトレイがイジェクトされた状態を図１２と同様に示す断面図である。
【符号の説明】
２    ＣＤ−ＲＯＭドライブ装置
３    固定部分
４    可動部分
５    イジェクトボタン
１３  位置センサ
１５ａ  イジェクト機構
１５ｂ  ロック及びロック解除機構
１７  トレイ
１８  ディスクモータ
１９  光ピックアップ
２８  プランジャソレノイド装置
３１  システムコントローラ
４０  安全回路
６０  保護回路
【図１】
0003820340.tif 000002
【図２】
0003820340.tif 000003
【図３】
0003820340.tif 000004
【図４】
0003820340.tif 000005
【図５】
0003820340.tif 000006
【図６】
0003820340.tif 000007
【図７】
0003820340.tif 000008
【図８】
0003820340.tif 000009
【図９】
0003820340.tif 000010
【図１０】
0003820340.tif 000011
【図１１】
0003820340.tif 000012
【図１２】
0003820340.tif 000013
【図１３】
0003820340.tif 000014